(57)【要約】【課題】階調数が多くなっても、メモリや制御部（マイコン）のコストダウンが可能な光源駆動装置および調光調色制御方法を提供する。【解決手段】入力される調光指示信号および調色指示信号に応じて複数の光源を駆動する光源駆動装置であって、前記調光指示信号および前記調色指示信号に基づいて各前記光源の制御情報を算出する調光調色制御部と、前記調光調色制御部が算出した各前記制御情報に応じて、各前記光源を駆動する複数の駆動回路部と、を備えることを特徴とする。また、入力される調光指示信号および調色指示信号に応じて複数の光源を駆動する光源駆動装置が実行する調光調色制御方法であって、前記調光指示信号および前記調色指示信号に基づいて各前記光源の制御情報を算出し、算出した各前記制御情報に応じて、複数の駆動回路部により各前記光源を駆動する、ことを特徴とする。【選択図】図１
2017033841.tif 000002
【特許請求の範囲】
【請求項１】
入力される調光指示信号および調色指示信号に応じて複数の光源を駆動する光源駆動装置であって、
前記調光指示信号および前記調色指示信号に基づいて各前記光源の制御情報を算出する調光調色制御部と、
前記調光調色制御部が算出した各前記制御情報に応じて、各前記光源を駆動する複数の駆動回路部と、
を備えることを特徴とする光源駆動装置。
【請求項２】
前記調光調色制御部は、前記調光指示信号に応じた制御量を、前記調色指示信号の値に応じた比率で各前記光源に按分する、
ことを特徴とする請求項１に記載の光源駆動装置。
【請求項３】
前記調光調色制御部は、各前記制御量が各駆動回路部の最大制御量と最小制御量の間となるように線形変換またはｌｏｇカーブで変換し、前記制御情報を算出する、
ことを特徴とする請求項２に記載の光源駆動装置。
【請求項４】
前記調光指示信号および前記調色指示信号は、DALI（登録商標：Digital Addressable Lighting Interface）またはECHONET Lite（登録商標）の調光調色指示信号である、
ことを特徴とする請求項１ないし請求項３のいずれか１項に記載の光源駆動装置。
【請求項５】
入力される調光指示信号および調色指示信号に応じて複数の光源を駆動する光源駆動装置が実行する調光調色制御方法であって、
前記調光指示信号および前記調色指示信号に基づいて各前記光源の制御情報を算出し、
算出した各前記制御情報に応じて、複数の駆動回路部により各前記光源を駆動する、
ことを特徴とする調光調色制御方法。
【発明の詳細な説明】
【技術分野】
【０００１】
本発明は、光源駆動装置および調光調色制御方法に関する。
【背景技術】
【０００２】
従来の例えば照明装置の光源駆動装置において、制御部は各階調レベルの各々に対応したメモリテーブルに予め格納された情報に基づいて制御を行っていた。このため、階調数が多くなれば、必要なメモリテーブルのデータ数が大きくなっていた。つまり、階調数が多くなれば、必要なメモリ領域を大きくすることを余儀なくされていた。
【先行技術文献】
【非特許文献】
【０００３】
【非特許文献１】ＩＥＣ６２３８６−１０２，『ＩＮＴＥＲＮＡＴＩＯＮＡＬ  ＳＴＡＮＤＡＲＤ  ＮＯＲＭＥ  ＩＮＴＥＲＮＡＴＩＯＮＡＬＥ−ＩＥＣ』，ＩＳＢＮ９７８−２−８８９１０−６８７−５，ｐ１〜１３９，２００９年
【発明の概要】
【発明が解決しようとする課題】
【０００４】
ところで、非特許文献１が示すように、近年のDALI規格の改定に伴って、その規格において制御可能な調光および調色の階調数が多くなる傾向にある。また、良好な照明のために調光および調色の階調数を大きくする傾向がある。
【０００５】
しかしながら、階調数が大きくなることは、前記した通り必要なメモリ領域が多くなる。また、メモリを含んだ制御部（マイコン）のコストアップに繋がるという課題があった。
【０００６】
そこで、本発明は、階調数が多くなっても、メモリや制御部（マイコン）のコストダウンが可能な光源駆動装置および調光調色制御方法を提供することを課題とする。
【課題を解決するための手段】
【０００７】
前記した課題を解決するため、第１の発明の光源駆動装置は、入力される調光指示信号および調色指示信号に応じて複数の光源を駆動する光源駆動装置であって、前記調光指示信号および前記調色指示信号に基づいて各前記光源の制御情報を算出する調光調色制御部と、前記調光調色制御部が算出した各前記制御情報に応じて、各前記光源を駆動する複数の駆動回路部と、を備えることを特徴とする。
【０００８】
第２の発明の調光調色制御方法は、入力される調光指示信号および調色指示信号に応じて複数の光源を駆動する光源駆動装置が実行する調光調色制御方法であって、前記調光指示信号および前記調色指示信号に基づいて各前記光源の制御情報を算出し、算出した各前記制御情報に応じて、複数の駆動回路部により各前記光源を駆動する、ことを特徴とする。
その他の手段については、発明を実施するための形態のなかで説明する。
【発明の効果】
【０００９】
本発明によれば、階調数が多くなっても、メモリや制御部（マイコン）のコストダウンが可能な光源駆動装置および調光調色制御方法を提供することができる。
【図面の簡単な説明】
【００１０】
【図１】実施形態における光源駆動装置の概略システムを示す構成図である。
【図２】実施形態における光源駆動装置のマイコンが変換したＤｕｔｙ値と、ＬＥＤ光量との関係を説明するグラフである。
【図３】(ａ)，（ｂ）ともに、実施形態における光源駆動装置の調光調色制御方法を説明するフローチャートである。
【図４】(ａ)ないし（ｄ）はいずれも、実施形態における光源駆動装置のＰＷＭ調光の様子を説明する図である。
【図５】比較例における光源駆動装置の概略システムを示す構成図である。
【図６】比較例における光源駆動装置のメモリテーブルを説明する図である。
【図７】比較例における光源駆動装置の調光調色制御方法を説明するフローチャートである。
【発明を実施するための形態】
【００１１】
以降、本発明を実施するための形態を、各図を参照して詳細に説明する。まず、実施形態の説明の前に、比較例を説明する。
≪比較例≫
図５は、比較例における光源駆動装置３Ａを含んでなる照明装置の概略システムの構成図である。
比較例の照明装置は、ヒューマンインタフェースを兼ねたパーソナルコンピュータ１（図ではＰＣ１と記載）と、このパーソナルコンピュータ１からの調光調色指示信号を例えばDALI（登録商標：Digital Addressable Lighting Interface）の調光調色指示信号に変換して出力するＨＯＳＴユニット２と、光源駆動装置３Ａと、ＬＥＤ照明装置４とを含んで構成される。
なお、ＨＯＳＴユニット２は、前記のDALI（登録商標）以外で、例えばECHONET Lite（登録商標）の調光調色指示信号を出力するものであってもよい。
【００１２】
パーソナルコンピュータ１は、例えばタッチパネル式の表示部を備え、コントローラとしての機能、例えば汎用のＰＷＭ（Pulse Width Modulation）調光器の機能を備えていてもよい。例えばソフトウェアで表示部に回動可能な不図示のダイヤルとオンオフスイッチとを表示させ、ユーザの選択を受け付ける機能を備えるようにしてもよい。パーソナルコンピュータ１は、例えばダイヤルの指標の位置に基づく調光調色情報をＨＯＳＴユニット２に出力する。
【００１３】
ＨＯＳＴユニット２は、パーソナルコンピュータ１から入力された調光調色指示信号を、例えばDALI（登録商標）の調光調色指示信号に変換して、光源駆動装置３Ａに出力する。または、その他の方式の調光調色指示信号に変換して、光源駆動装置３Ａに出力するものであってもよい。
【００１４】
光源駆動装置３Ａは、記憶部であるＲＯＭ３２と、マイコン３１と、第１点灯回路となるドライバ回路３３ａ（駆動回路部）と、第２点灯回路となるドライバ回路３３ｂ（駆動回路部）とを備えている。
【００１５】
ＲＯＭ３２は、例えばRead Only Memoryであり、調光調色メモリテーブルを格納している。具体的には、例えば白色ＬＥＤ用ＤＣ調光調色テーブル３２１や、橙色ＬＥＤ用ＤＣ調光調色テーブル３２２を記憶している（詳細後記）。なお、白色ＬＥＤ用ＤＣ調光調色テーブル３２１や、橙色ＬＥＤ用ＤＣ調光調色テーブル３２２には、所定のＤｕｔｙが格納されている。
【００１６】
マイコン３１は、ＨＯＳＴユニット２から入力される例えばDALIの調光調色指示信号に基づき、ＲＯＭ３２に記憶されている調光調色に関するメモリテーブルを参照して、格納されているＤｕｔｙを読み出す。そして、白色ＬＥＤ用ＤＣ調光調色テーブル３２１から読み出したＤｕｔｙをドライバ回路３３ａに出力する。同様にして、橙色ＬＥＤ用ＤＣ調光調色テーブル３２２から読み出したＤｕｔｙをドライバ回路３３ｂに出力する。このように、発光色の異なる複数のＬＥＤをそれぞれ適切なＤｕｔｙで駆動することにより、調光調色を行うことができる。
【００１７】
第１点灯回路となるドライバ回路３３ａはＬＥＤ照明装置４の第１光源部である白色ＬＥＤ４１ａに接続される。そして、ドライバ回路３３ａは白色ＬＥＤ用ＤＣ調光調色テーブル３２１のＤｕｔｙに応じた電流で、白色ＬＥＤ４１ａを駆動する。同様にして、第２点灯回路となるドライバ回路３３ｂはＬＥＤ照明装置４の第２光源部である橙色ＬＥＤ４１ｂに接続される。そして、ドライバ回路３３ｂは橙色ＬＥＤ用ＤＣ調光調色テーブル３２２のＤｕｔｙに応じた電流で、橙色ＬＥＤ４１ｂを駆動する。
なお、ドライバ回路３３ａ、およびドライバ回路３３ｂには、電源装置であるＡＣ／ＤＣ変換部３４から電力が供給されている。
【００１８】
ＬＥＤ照明装置４は、色温度が異なる２つの光源である第１光源部としての白色ＬＥＤ４１ａと、第２光源部としての橙色ＬＥＤ４１ｂとを備えている。なお、ＬＥＤ照明装置４は、少なくとも２つ以上の色温度が異なる光源を備えていればよく、個数および照明色は特にこの例に限定されない。
【００１９】
図６は、比較例における光源駆動装置３Ａのメモリテーブルを説明する図である。なお、図６は調光調色のメモリテーブルとして白色ＬＥＤ用ＤＣ調光調色テーブル３２１を例に挙げて説明するが、橙色ＬＥＤ用ＤＣ調光調色テーブル３２２も同様の構成を備えている。
【００２０】
ＨＯＳＴユニット２から光源駆動装置３Ａに入力されるDALI（登録商標）の調光調色指示信号は、図６に示すように、例えば調色階調２５０段（寒色系のレコード１〜暖色系のレコード２５１まで）、調光階調２５４段（暗系のレコード１〜明系のレコード２５５まで）の階調数を有している。つまり、白色ＬＥＤ用ＤＣ調光調色テーブル３２１は、２５１＊２５５＝６４，００５個の格納場所を有してなる。そして、白色ＬＥＤ用ＤＣ調光調色テーブル３２１には、各階調に対応したＤｕｔｙ、すなわち、各階調に対応してドライバ回路３３ａを駆動させてＰＷＭ調光制御を実行するためのＤｕｔｙが格納されている。
【００２１】
次に、図７を参照しながら、比較例における光源駆動装置３Ａの調光調色制御方法のフローチャートを説明する。
ステップＳ３０において、光源駆動装置３Ａのマイコン３１は、ＨＯＳＴユニット２から例えばDALI（登録商標）による調光信号または調色信号を受信する。
【００２２】
次に、ステップＳ３１において、マイコン３１は白色ＬＥＤ用ＤＣ調光調色テーブル３２１を参照する。そして、ステップＳ３０で受信した調光信号または調色信号に基づく階調数のテーブルに格納されたＤｕｔｙを決定（特定）する。
【００２３】
ステップＳ３２において、マイコン３１はステップＳ３１で決定したＤｕｔｙを第１のドライバ回路３３ａに出力する。
【００２４】
続いて、ステップＳ３３において、マイコン３１は橙色ＬＥＤ用ＤＣ調光調色テーブル３２２を参照する。そして、ステップＳ３０で受信した調光信号または調色信号に基づく階調数のテーブルに格納されたＤｕｔｙを決定（特定）する。
【００２５】
ステップＳ３４において、マイコン３１はステップＳ３３で決定したＤｕｔｙを第２のドライバ回路３３ｂに出力して、本フローを終了する。
【００２６】
《実施形態》
以降、本発明の一実施形態について、前記した比較例と特に異なる部分を中心にして、比較例と対比しながら、その詳細を説明する。
図１は、実施形態における光源駆動装置３の概略システムを示す構成図である。本実施形態の光源駆動装置３は、図５に示す比較例の光源駆動装置３Ａと比較して、記憶部であるＲＯＭ３２に調光調色のメモリテーブルが格納されていない点が異なっている。具体的には、ＲＯＭ３２に白色ＬＥＤ用ＤＣ調光調色テーブル３２１、および橙色ＬＥＤ用ＤＣ調光調色テーブル３２２が格納されていない点が異なっている。それ以外の構成は、比較例の光源駆動装置３Ａと同様である。
【００２７】
このような構成とすることによって、ＨＯＳＴユニット２からマイコン３１に入力される例えばDALI（登録商標）による調光調色指示信号の階調数が増えたとしても、ＲＯＭ２２のメモリ領域を拡大させなくてもよくなる。つまり、光源駆動装置３、特にマイコン３１のコスト低減を実現することができる。
【００２８】
なお、詳細は後記するが、本実施形態の光源駆動装置３のマイコン３１は、予め用意した調光制御用および調色制御用の比率計算式を用いて、演算によって階調レベルの各々に対応した制御量を算出・生成する。そして、マイコン３１は算出した制御量をＤｕｔｙに変換し、適宜ドライバ回路３３ａ、および／またはドライバ回路３３ｂに出力する。
【００２９】
図２は、実施形態における光源駆動装置３のマイコン３１が算出・変換したＤｕｔｙ値と、ＬＥＤ照明装置４のＬＥＤ光量との関係を説明するグラフである。
図２に示すように、本発明の実施形態のＬＥＤ照明装置４は、Ｄｕｔｙ値が０％〜Ｄｍｉｎまでの領域と、Ｄｍｉｎ〜Ｄｍまでの領域、Ｄｍ〜Ｄｍａｘまでの領域、Ｄｍａｘ〜１００％の領域に分けることができる。
【００３０】
まず、Ｄｕｔｙ値が０％〜Ｄｍｉｎまでの領域は、Ｄｕｔｙ値の値にかかわらず、光量が０となる領域である。
【００３１】
次に、Ｄｕｔｙ値がＤｍｉｎ〜Ｄｍまでの領域は、光量が不安定となる領域である。ここで、ＤｍｉｎはＬＥＤ照明装置４が発光する際の最小値のＤｕｔｙを示している。また、ＤｍはＬＥＤ照明装置４が安定的に発光する際の最小値のＤｕｔｙを示している。
【００３２】
次に、Ｄｕｔｙ値がＤｍ〜Ｄｍａｘまでの領域は、光量が安定して発光し、Ｄｕｔｙ値の漸増に応じて光量も漸増する領域である。つまり、Ｄｕｔｙ値と光量が略線型（略リニアカーブ）の関係にある領域である。
【００３３】
最後に、Ｄｕｔｙ値がＤｍａｘ〜１００％の領域は、Ｄｕｔｙ値が増加しても光量が飽和状態となって増加することのない領域である。
【００３４】
以上によって、ＬＥＤ照明装置４の有効的な光量を得るには、Ｄｕｔｙ値はＤｍｉｎ〜Ｄｍａｘ間（Ｄｍｉｎ≦Ｄｕｔｙ値≦Ｄｍａｘ）となるような値が望ましい。特に、不安定領域（Ｄｍｉｎ≦Ｄｕｔｙ値≦Ｄｍ）においては、所定値のＤｕｔｙを周期的に所定割合でドライバ回路に出力することが望ましい（詳細は図４で後記）。
【００３５】
次に、図３(ａ)，（ｂ）はともに、実施形態における光源駆動装置３の調光調色制御方法を説明するフローチャートである。
まず、図３(ａ)を参照しながら、実施形態における光源駆動装置３の、大まかな調光調色制御方法を説明する。
ステップＳ１０において、光源駆動装置３のマイコン３１は、ＨＯＳＴユニット２からの調光信号または調色信号を受信する。
次に、ステップＳ１１において、光源駆動装置３は、白色ＬＥＤ４１ａの制御を行う。
そして、ステップＳ１２において、光源駆動装置３は、橙色ＬＥＤ４１ｂの制御を行い、本フローを終了する。
【００３６】
次に、図３（ｂ）を参照しながら、実施形態における光源駆動装置３の、詳細な調光調色制御方法を説明する。なお、図３(ｂ)は、図３（ａ）の例えばステップＳ１１の白色ＬＥＤ４１ａの制御の具体的な処理内容を例示するものである。また、ステップＳ１２の橙色ＬＥＤ４１ｂの制御も図３(ｂ)と同様にして考えることができる。
まず、ステップＳ２０において、光源駆動装置３のマイコン３１は、ＨＯＳＴユニット２から受信した調光情報Ｙと調色情報Ｘから、当該ＬＥＤ、具体的には、白色ＬＥＤ４１ａを発光させるための制御量を算出する。ここで、制御量の内容は特に限定されない。本実施形態では、制御量とは、例えばＰＷＭ制御を行うためのＤｕｔｙを直接または間接的に算出できるパラメータであるものとして説明する。
【００３７】
具体的には、マイコン３１（調光調色制御部）は、例えば調光指示信号に応じた調光情報Ｙに基づく制御量を、調色指示信号の値に応じた調色情報Ｘに基づく比率を乗算することで各前記光源に按分配分し、算出された値を白色ＬＥＤ４１ａを発光させるための制御量とする（橙色ＬＥＤ４１ｂの場合も同様）。
【００３８】
例えば、調光指示信号に応じて、調光情報Ｙに基づく値を調光階調数に基づく値で割り算し調光ファクターを算出する。そして、調色指示信号に応じて、各光源毎に調色情報Ｘに基づく値を調色階調数に基づく値で割り算するなどして按分配分して調色ファクターを算出する。そして、光源毎に調光ファクターおよび調色ファクターの比率を乗算して、算出された値を当該光源の制御量とすればよい。
【００３９】
次に、ステップＳ２１において、マイコン３１は、ステップＳ２０で算出した制御量が図２で示したＤｍｉｎとＤｍａｘの間になるように、白色ＬＥＤ４１ａをＰＷＭ制御するためのＤｕｔｙに変換する。前記した通りＤｍｉｎとＤｍａｘはそれぞれ、ＬＥＤ照明装置４の光量を過不足なく有効に得るためのＤｕｔｙの最小値と最大値である。
この際、マイコン３１は、各制御量が各駆動回路部の最大制御量と最小制御量の間となるように線形変換して、光源であるＬＥＤ照明装置４の制御情報を算出してもよい。または、マイコン３１は、各制御量が各駆動回路部の最大制御量と最小制御量の間となるようにｌｏｇカーブで変換し、光源であるＬＥＤ照明装置４の制御情報を算出してもよい。
【００４０】
そして、ステップＳ２２において、マイコン３１は、ステップＳ２１で変換したＤｕｔｙがＤｍ、すなわち図２で前記したＬＥＤ照明装置４が安定的に発光する際の所定の最小値のＤｕｔｙよりも大きいか否か（Ｄｕｔｙ＞Ｄｍ）を判定する。
【００４１】
ステップＳ２２でＹｅｓ、すなわちステップＳ２１で変換したＤｕｔｙがＤｍよりも大きい場合には、そのままのＤｕｔｙをドライバ回路３３ａに出力しても図２で説明したようにＬＥＤ照明装置４は安定的に発光することができる。
ゆえに、ステップＳ２３において、マイコン３１はＤｕｔｙをそのままドライバ回路３３ａに出力して、本制御フローを終了する。
【００４２】
ステップＳ２２でＮｏ、すなわちステップＳ２１で変換したＤｕｔｙがＤｍよりも小さい場合には、そのままのＤｕｔｙをドライバ回路３３ａに出力すると、図２で説明したようにＬＥＤ照明装置４の発光は不安定となる。
ゆえに、ステップＳ２４において、マイコン３１はＤｕｔｙをそのままドライバ回路３３ａに出力するのではなく、当該所定値のＤｕｔｙを、例えば周期的に所定割合でドライバ回路３３ａに出力するようにして、本制御フローを終了する。
【００４３】
次に、図４の(ａ)ないし（ｄ）はいずれも、実施形態における光源駆動装置３のＰＷＭ調光の様子を説明する図である。なお、図４(ａ)は図３(ｂ)のステップＳ２３のＤｕｔｙの出力パタンの一例であり、図４(ｂ)ないし（ｄ）は図３(ｂ)のステップＳ２４のＤｕｔｙの出力パタンの一例である。
図４(ａ)は、図３(ｂ)のステップＳ２３における所定値のＤｕｔｙの出力信号が、時間軸に対して均一に出力されている様子を示している。この場合、例えばドライバ回路３３ａによる白色ＬＥＤ４１ａへの供給電流量は、定常的にこの所定値のＤｕｔｙに応じた量となる。そして、白色ＬＥＤ４１ａの光量は、例えば１００％の状態が維持される。
【００４４】
これに対して、図４(ｂ)は、図３(ｂ)のステップＳ２４におけるＤｕｔｙの出力パタンを示している。前記したように、図３(ｂ)のステップＳ２４では、所定値のＤｕｔｙを例えば周期的に所定割合で間引くなどして、ドライバ回路３３ａに出力する。具体的には、図４(ａ)と図４（ｂ）は、Ｄｕｔｙは同じであるが、オン信号が３つ連続したあとの４つ目のオン信号を省くことで、図４（ｂ）は図４(ａ)の出力信号を周期的に所定割合で出力するパタンとなっている。この場合、例えばドライバ回路３３ａによって白色ＬＥＤ４１ａへ供給される電流は、例えば図４(ａ)の出力に対して７５％相当の時間だけ流れる。つまり、白色ＬＥＤ４１ａの光量は、例えば図４(ａ)の出力に対して７５％相当分に減光される。
【００４５】
図４(ｃ)は、図４（ｂ）の状態からさらにもう一つオン信号を省いた出力パタン出力パタンを示している。具体的には、図４(ａ)と図４（ｃ）は、Ｄｕｔｙは同じであるが、オン信号が２つ連続したあとの３つめおよび４つめのオン信号を省くことで、図４（ｃ）は図４(ａ)の出力信号を周期的に所定割合で出力するパタンとなっている。この場合、例えばドライバ回路３３ａによって白色ＬＥＤ４１ａへ供給される電流は、例えば図４(ａ)の出力に対して５０％相当の時間だけ流れる。つまり、白色ＬＥＤ４１ａの光量は、例えば図４(ａ)の出力に対して５０％相当分に減光される。
【００４６】
図４(ｄ)は、図４（ｃ）の状態からさらにもう一つオン信号を省いた出力パタン出力パタンを示している。具体的には、図４(ａ)と図４（ｄ）は、Ｄｕｔｙは同じであるが、オン信号が１つ出たあとの２ないし４つめのオン信号をすべて省くことで、図４（ｄ）は図４(ａ)の出力信号を周期的に所定割合で出力するパタンとなっている。この場合、例えばドライバ回路３３ａによって白色ＬＥＤ４１ａへ供給される電流は、例えば図４(ａ)の出力に対して２５％相当の時間だけ流れる。つまり、白色ＬＥＤ４１ａの光量は、例えば図４(ａ)の出力に対して２５％相当分に減光される。
【００４７】
以上のようにして、図２で示すＬＥＤ照明装置４の発光特性に応じて、マイコン３１がＰＷＭ調光によるドライバ回路３３ａの出力電流を制御する。そして、ＬＥＤ照明装置４の不安定な発光を回避することができる。
【００４８】
≪作用・効果≫
本発明の実施形態にかかわる光源駆動装置３は、予め用意した調光制御用および調色制御用の調光情報Ｙおよび調色情報Ｘにかかわる所定の比率計算式を用いて、演算によって各階調レベルの各々に対応した制御情報を生成することを特徴としている。
つまり、階調数に応じたメモリ領域を用意しなくてもよいことから、メモリ容量およびメモリコストの低減、制御部（マイコン３１）のコスト削減を実現することができるという効果を奏する。
つまり、本発明の実施形態によれば、調光または調色の階調数が多くなっても、メモリや制御部（マイコン）のコストダウンが可能な光源駆動装置および調光調色制御方法を提供することができる。
【００４９】
上記した実施形態は、本発明を分かりやすくするために詳細に説明したものであり、必ずしも、説明した全ての構成を備えるものに限定されるものではない。
【００５０】
また、実施形態の構成の一部を他の構成に置き換えることが可能であり、また、実施形態の構成に、他の構成の一部もしくは全てを加えることも可能である。
また、実施形態の構成の一部について、他の構成の追加・削除・置換をすることが可能である。
【００５１】
（変形例）
具体的には、本発明の実施形態の変形例として、例えば、次の（ａ）〜（ｅ）のようなものがある。
（ａ）  図１および図４（ａ）ないし（ｄ）で説明したように、実施形態では、ドライバ回路３３ａ、およびドライバ回路３３ｂは、ＬＥＤ照明装置４をＰＷＭ調光で制御する場合を例に挙げて説明した。しかし、調光制御方法はこれには特に限定されない。本発明の実施形態は、ＰＷＭ調光以外の方法で制御する場合にも適用することができる。
【００５２】
（ｂ）  実施形態ではＬＥＤ照明装置４として光源が白色ＬＥＤ４１ａと、橙色ＬＥＤ４１ｂとの２つの場合を例に挙げて説明したが、これには特に限定されない。本発明の実施形態は、３つ以上の光源を備える光源駆動装置にも適用することができる。
【００５３】
（ｃ）  実施形態では光源として例えばＬＥＤ照明装置４として白色ＬＥＤ４１ａ、および橙色ＬＥＤ４１ｂの場合を例に挙げて説明したが、色温度はこれには特に限定されない。
【００５４】
（ｄ）  実施形態では、調光指示信号および調色指示信号は、DALI（登録商標：Digital Addressable Lighting Interface）の調光調色指示信号であるとして説明した。しかし、調光指示信号および調色指示信号は、ECHONET Lite（登録商標）の調光指示信号であってもよい。なお、ECHONET Lite（登録商標）はDALI（登録商標）と類似の規格であって、HEMSやBEMSのための制御方式に使用される規格である。つまり、ECHONET Lite（登録商標）はDALI（登録商標）と同様の階調数を必要とする規格である。さらには、これら以外の規格を採用するものであってもよい。
【００５５】
（ｅ）  実施形態では、ＲＯＭ３２（図１参照）内の格納データの種類については特に限定していない。ゆえに、例えばＲＯＭ３２内にDALI（登録商標）に対応するｌｏｇカーブを備えるものであってもよい。例えばＲＯＭ３２内にDALI（登録商標）に対応するｌｏｇカーブを備え、調光調色指示信号をリニアカーブではなくｌｏｇカーブで出力できれば、Ｄｕｔｙの値が例えば所定値Ｄｍを超えて小さくなっても、急激には光量が変化しないようにすることができる。特に、光源にＬＥＤ照明装置４を用いる場合は、ＬＥＤは反応速度が速いので、Ｄｕｔｙが細かくなると、つまり光が弱くなると点々に発光しているように見えてしまう場合がある。ＲＯＭ３２内にｌｏｇカーブを備えていれば、このような事態にはなりにくくできるので、好適である。
なお、その場合には、図３（ｂ）のステップＳ２０とステップＳ２１の間において、制御量がＤｍｉｎとＤｍａｘの間になるようにｌｏｇカーブで補正することが望ましい。
【符号の説明】
【００５６】
１      パーソナルコンピュータ
２      ＨＯＳＴユニット
３，３Ａ  光源駆動装置
４      ＬＥＤ照明装置
３１    マイコン
３２    ＲＯＭ
３３ａ，３３ｂ  ドライバ回路（駆動回路部）
３４    ＡＣ／ＤＣ変換部
４１ａ  白色ＬＥＤ
４１ｂ  橙色ＬＥＤ
３２１  白色ＬＥＤ用ＤＣ調光調色テーブル
３２２  橙色ＬＥＤ用ＤＣ調光調色テーブル
【図１】
2017033841.tif 000003
【図２】
2017033841.tif 000004
【図３】
2017033841.tif 000005
【図４】
2017033841.tif 000006
【図５】
2017033841.tif 000007
【図６】
2017033841.tif 000008
【図７】
2017033841.tif 000009